(57)【要約】  電子撮像装置は、ユーザ入力ユニットと；ディスプレイを有し、前記ユーザ入力ユニットに対して第一固定軸線周りで旋回移動するように搭載された表示ユニットと；第二軸線周りで回転する撮像ユニットとを有している。【選択図】図１
2007532071.tif 000002
【特許請求の範囲】
【請求項１】
電子撮像装置であって：
ユーザ入力ユニットと；
ディスプレイを有し、前記ユーザ入力ユニットに対して第一固定軸線の周りで旋回移動するように搭載された表示ユニットと；
前記第一固定軸線にほぼ直交した第二軸線の周りで回転する撮像ユニットと；
を有していることを特徴とする装置。
【請求項２】
前記撮像ユニットは、前記第二軸線の周りでほぼ３６０度回転するように搭載されている請求項１又は２記載の電子装置。
【請求項３】
前記表示ユニットは、前記ディスプレイを有した表示部分と、該表示部分を前記ユーザ入力ユニットに結合する支持部分とを有しており、前記支持部分は、前記ユーザ入力部分に対して前記第一固定軸線の周りで旋回移動するように搭載されており、前記表示部分は、前記支持部分に対して第三軸線の周りで回転移動するように搭載されている請求項１記載の電子装置。
【請求項４】
前記支持部分は、前記第一固定軸線の周りでほぼ１８０度回転するように搭載されている請求項３記載の電子装置。
【請求項５】
前記表示部分は、前記第三軸線の周りでほぼ３６０度回転するように搭載されている請求項３又は４記載の電子装置。
【請求項６】
前記ユーザ入力ユニットは、正面を有しており、前記第二固定軸線は、前記正面とほぼ平行になっている前記請求項のいずれかに記載の電子装置。
【請求項７】
前記撮像ユニットは、９０度ずつ増すように前記第二軸線の周りで回転し、互いに直交する四つの位置のいずれかの位置をとるように搭載されている前記請求項のいずれかに記載の電子装置。
【請求項８】
前記撮像ユニットは、開口を有しており、該開口が前記ユーザ入力ユニットに向かい合うと共に隣接するしまい込み位置まで、第二軸線の周りで回転するように搭載されている前記請求項のいずれかに記載の電子装置。
【請求項９】
更に、固定画像センサを有しており、前記撮像ユニットは、第二軸線の周りで共に回転する開口と光学機器とを有している前記請求項のいずれかに記載の電子装置。
【請求項１０】
前記画像センサは、前記開口に対して直交した向きになっており、前記光学機器は、前記開口から前記画像センサに光を導くためにミラー又はプリズムを有している請求項９記載の電子装置。
【請求項１１】
前記撮像ユニットは、開口、光学機器及び画像センサを有しており、それら開口、光学機器及び画像センサは、共に第二軸線の周りで回転するように搭載されている請求項１から８のいずれか一つに記載の電子装置。
【請求項１２】
前記画像センサは、前記開口に対して直交した向きになっており、前記光学機器は、前記開口から前記画像センサに光を導くためにミラー又はプリズムを有している請求項１１記載の電子装置。
【請求項１３】
前記画像センサは、前記開口と整合しており、前記光学機器は、前記開口から前記画像センサに光を導くためにレンズを有している請求項１１記載の電子装置。
【請求項１４】
前記ユーザ入力ユニットは、前記第一固定軸線から直交方向に長手沿いに延びており、前記撮像ユニットは、その長さの少なくとも一部分において前記ユーザ入力ユニットに隣接して延びている前記請求項のいずれかに記載の電子装置。
【請求項１４】
更に、前記撮像ユニットを回転させるモータを有している前記請求項のいずれかに記載の電子装置。
【請求項１５】
前記装置は、ビデオ電話として、及びカメラとして作動可能であり、前記撮像ユニットは、前記装置の操作によってビデオ電話からカメラに切り替わると１８０度で回転される前記請求項のいずれかに記載の電子装置。
【請求項１６】
前記装置は、電話として、及びビデオ・カメラとして作動可能であり、前記装置の操作によって電話からビデオ・カメラに切り替わると、前記撮像ユニットは１８０度で回転され、前記支持部分は９０度で反時計方向に回転され、前記表示部分は２７０度で時計方向に回転される請求項３及びそれに従属する前記請求項のいずれかに記載の電子装置。
【請求項１７】
前記装置は、電話として、及びビデオ電話として作動可能であり、前記装置の操作によって電話からビデオ電話に切り替わると、前記撮像ユニットは９０度で時計方向に回転され、前記表示部分は１８０度で回転され、前記支持部分は１８０度で回転される請求項３及びそれに従属する前記請求項のいずれかに記載の電子装置。
【請求項１８】
前記装置は、電話として、及びスチル・カメラとして作動可能であり、前記装置の操作によって電話からスチル・カメラに切り替わると、前記撮像ユニットは９０度で反時計方向に回転され、前記表示部分は１８０度で回転され、前記支持部分は１８０度で回転される請求項３及びそれに従属する前記請求項のいずれかに記載の電子装置。
【請求項１９】
表１に特定された一つ以上の形態を有している前記請求項のいずれかに記載の電子装置。
【請求項２０】
移動携帯電話として作動可能である前記請求項のいずれかに記載の電子装置。
【請求項２１】
電子撮像装置であって：
ハウジングと；
９０度ずつ増すように固定軸線の周りで前記ハウジングに対して回転し、互いに直交する四つの位置のいずれかの位置をとるように搭載されている撮像ユニットと；を有していることを特徴とする装置。
【請求項２２】
電子撮像装置であって：
ハウジングと；
レンズ開口を有し、該レンズ開口が前記ハウジングを向くしまい込み位置へ前記ハウジングに対して軸線周りで回転するように搭載されている撮像ユニットと；を有していることを特徴とする装置。
【請求項２３】
前記ユーザ入力ユニットは、前記第一固定軸線から直交方向に長手沿いに延びており、前記撮像ユニットは、その長さの少なくとも一部分において前記ユーザ入力ユニットに隣接して延びており、前記表示ユニットは、前記ユーザ入力ユニットの正面をカバーするが前記撮像ユニットを覆わないように前記第一軸線の周りで旋回する請求項２２記載の電子装置。
【請求項２４】
電子撮像装置であって：
ハウジングと；
開口、光学機器及び固定画像センサを有している撮像ユニットと；を有しており、前記開口及び光学機器が前記固定画像センサに対して軸線周りで共に回転するようになっていることを特徴とする装置。
【請求項２５】
前記画像センサは、前記開口に対して直交した向きになっており、前記光学機器は、前記開口から前記画像センサに光を導くためにミラー又はプリズムを有している請求項２４記載の電子装置。
【請求項２６】
多重モードの撮像装置であって：
正面を有したハウジングと；
レンズ開口を有し、前記ハウジンに対して固定軸線の周りで回転するように搭載されている撮像ユニットと；を有しており、
前記装置は、前記レンズ開口が前記正面の前方の画像を捕らえるように前記撮像ユニットが回転されるとビデオ電話として作動可能であり、前記装置は、前記撮像ユニットが１８０度で回転されるとカメラとして作動可能となっていることを特徴とする装置。
【請求項２７】
電子撮像装置であって：ユーザ入力ユニットと；ディスプレイを有し、前記ユーザ入力ユニットに対して第一固定軸線の周りで旋回移動するように搭載された表示ユニットと；第二軸線の周りで回転する撮像ユニットとを有していることを特徴とする装置。
【請求項２８】
実質的に、添付図面を参照して明細書に説明されているか、及び／又は添付図面に示されている電子撮像装置。
【請求項２９】
先行する請求項と同じ発明の技術範囲内に入っているかどうかどうかに拘らず、又はその同じ発明に関係しているかどうかに拘らず開示された新規な主題を含んだいずれかの新規な主題又は組み合わせ。
【発明の詳細な説明】
【技術分野】
【０００１】
本発明の実施形態は、軸線周りで回転する撮像ユニットを有した電子撮像装置に関する。特に、幾つかの実施形態は、撮像装置として作動すると共に手持ち携帯可能な携帯電話として作動する多重モードの電子装置に関する。
【背景技術】
【０００２】
ドコモ（ＤｏＣｏＭｏ）フォーマ（ＦＯＭＡ）Ｐ２１０２Ｖは、電子撮像装置としても作動するフリップ型の移動携帯電話である。それは、ユーザ入力ユニットと；ディスプレイを有し、ユーザ入力ユニットに対して第一固定軸線の周りで旋回移動するように搭載された表示ユニットと；ビデオを捕らえるためにユーザ入力ユニットの側部内に統合された固定撮像ユニットとを有している。表示ユニットは、ディスプレイを有した表示部分と、該表示部分をユーザ入力ユニットに結合する支持部分とを有している。支持部分は、ユーザ入力部分に対して第一固定軸線の周りで旋回移動するように搭載されている。表示部分は、支持部分に対して第一固定軸線に直交した軸線の周りで回転移動するように搭載されている。固定撮像ユニットを保護するために別体のレンズ・キャップが設けられている。
【０００３】
サムスング（Ｓａｍｓｕｎｇ）ＳＧＨ−Ｐ４００は、電子撮像装置としても作動するフリップ型の移動携帯電話である。それは、ユーザ入力ユニットと；該ユーザ入力ユニットに対して第１固定軸線の周りで旋回移動するように搭載されたディスプレイを有した表示ユニットと；静止映像を撮るために固定第一軸線の周りで１８０度回転する撮像ユニットを有している。表示ユニットは、ディスプレイを有した表示部分と、該表示部分をユーザ入力ユニットに結合する支持部分を有している。支持部分は、ユーザ入力部分に対して第一固定軸線の周りで旋回するように搭載されている。表示部分は、第一固定軸線に直交した軸線の周りで支持部分に対して回転移動するように搭載されている。
【発明の開示】
【発明が解決しようとする課題】
【０００４】
種々の撮像目的に使用されるか及び／又は使用上の柔軟性及び使い易さが増した電子撮像装置を提供することが望まれよう。
【課題を解決するための手段】
【０００５】
本発明の一実施形態によれば、ユーザ入力ユニットと；ディスプレイを有し、ユーザ入力ユニットに対して第一固定軸線の周りで旋回移動するように搭載された表示ユニットと；第一固定軸線にほぼ直交した第二軸線の周りで回転する撮像ユニットとを有している電子撮像装置が提供される。
【０００６】
本発明のもう一つ別の実施例によれば、ハウジングと；ハウジングに対して固定軸線周りで四つの互い直交した位置の内の一つへと９０度だけ増すように回転するように搭載されている撮像ユニットとを有している電子撮像装置が提供される。
【０００７】
本発明のもう一つ別の実施形態によれば、ハウジングと；レンズ開口を有し、レンズ開口がハウジングに面向するしまい込み位置へハウジングに対して軸線周りで回転するように搭載されている撮像ユニットとを有している電子撮像装置が提供される。
【０００８】
本発明のもう一つ別の実施形態によれば、ハウジングと；開口と光学機器及び固定画像センサを有した撮像ユニットとを有し、開口及び光学機器が前記固定画像センサに対して軸線周りで共に回転するようになっている電子撮像装置が提供される。
【０００９】
本発明のもう一つ別の実施形態によれば、正面を有したハウジングと；レンズ開口を有し、ハウジンに対して固定軸線の周りで回転するように搭載された撮像ユニットとを有している多重モードの撮像装置が提供される。本装置は、レンズ開口が正面の前の画像を捕らえるように撮像ユニットが回転されるとビデオ電話として操作可能であり、また本装置は、撮像ユニットが１８０度で回転されるとカメラとして操作可能となっている。
【発明を実施するための最良の形態】
【００１０】
本発明をより良く理解するために、以下、例示のみを目的とし、添付図面を参照する。
図１は、電子撮像装置として作動するフリップ型移動携帯電話１０を示している。本装置１０は、ユーザ入力ユニット２０と；表示ユニット３０と；撮像ユニット４０と；画像センサ・ハウジング５０とを有している。
【００１１】
入力ユニット２０は、この例では、ほぼ立方形を成している。それは、第一固定軸線１に直交する方向の長さ方向２４に頂端縁から延びていて、底端縁で終結している。側縁は、頂端縁と底端縁との間で長手方向に延びている。ユーザ入力ユニット２０は、その正面２２に設けられているキーパッドなどのユーザ入力装置を有している。
【００１２】
表示ユニット３０は、ユーザ入力ユニット２０に対して第一固定軸線１の周りで約１８０度旋回移動するように蝶番６１を介して搭載されている。表示ユニット３０は、表示部分３２と、明細書中でも、表示部分３２をユーザ入力ユニット２０に結合する支持部分３４を有している。支持部分３４は、ユーザ入力部分２０に対して第一固定軸線１の周りで約１８０度旋回移動するように蝶番６１を介して搭載されている。ディスプレイ３１を有した表示部分３２は、支持部分３４が回転すると移動する第三軸線の周りで支持部分に対して３６０度回転移動するように転鐶６３を介して搭載されている。
【００１３】
撮像ユニット４０は、第一固定軸線１に直交した第二固定軸線２の周りで３６０度回転するように転鐶６２を介して搭載されている。第二固定軸線２は、ユーザ入力ユニット２０の正面２２及び側縁にほぼ平行になっており、また撮像ユニットの中央を貫通している。撮像ユニット４０は、ユーザ入力ユニットの長さ２４の少なくとも一部分に渡ってユーザ入力ユニット２０の側縁に隣接して第二固定軸線２に平行に延びている。
【００１４】
画像センサ・ハウジング５０は、この実施例では固定されており、また転鐶６２を介して撮像ユニット４０に接続されている。画像センサ・ハウジング５０は、ユーザ入力ユニットの長さ２４の少なくとも一部分に渡ってユーザ入力ユニット２０の側縁に隣接して第二固定軸線に平行に延びている。画像センサ・ハウジング５０及び撮像ユニット４０は、合わせてユーザ入力ユニット２０の側縁の全長２４に沿って延びており、これは頂端縁／底端縁間よりも長い。
【００１５】
図２によりはっきりと示されているように、画像センサ・ハウジング５０は、一つ以上の画像センサ及びレンズ開口４９を有したカメラ・モジュール４７を収容している。カメラ・モジュール４７は、静止画像及びビデオ画像を捕らえるのに適しており、また第二固定軸線２と整合されている。転鐶６２は、内筒及び外筒を有したジャーナルによって提供されている。一方の筒は、撮像ユニット４０のベースに結合されており、また他方の筒は、画像センサ・ハウジングの頂部に結合されている。撮像ユニット４０が回転すると、筒の一方が他方の内側で回転する。レンズ開口４９は、内筒の内部と整合されており、撮像ユニット４０からの光路を提供している。
【００１６】
撮像ユニット４０は、側壁に単一の開口４２を有すると共に開口４２に到達する光を直角に向きを変えてそれをカメラ・モジュール４７のレンズ開口４９を通るように導く少なくとも一つの光学機器を有している。開口４２は、光の向きを変えるプリズム（又はミラー）４６上に光を集めて導くレンズ４４を支持している。撮像ユニット４０が回転すると、開口４２とレンズ４４とプリズム４６とは共に回転するがカメラ・モジュール４７は静止状態を維持する。
【００１７】
この実施例に対する改造例では、カメラ・モジュール４７は撮像ユニット４０内に統合されている。撮像ユニットが回転すると、開口４２とレンズ４４とプリズム４６とカメラ・モジュールとが共に回転する。カメラ・モジュールは、第二軸線２に平行に整列された状態のままとなっている。この実施形態は、センサのアライメントが撮像ユニット４０の回転から独立しているので耐久性を向上できる。
【００１８】
別の実施形態では、カメラ・モジュール４７は撮像ユニット４０内に統合されており、それは、その開口４９が撮像ユニットの開口４２と整合されるように第二軸線２に直交状態で整合されている。この実施例では、光の向きを変える必要がないのでプリズム（又はミラー）４６は必要とされない。撮像ユニットが回転すると、開口４２とレンズ４４とカメラ・モジュール４７とが共に回転する。この実施例は、コスト及び耐久性の面で有利である。
【００１９】
撮像ユニット４０は、９０度ずつ増すように第二軸線２の周りで回転し、互い直交する四つの位置のいずれかの位置をとる。開口４２は、蝶番６１（図１、３Ａ、３Ｂ、７）に対向することもできるし、前方（図６）に、側方（図２、４）に、及び後方（図５）に対向することもできる。開口４２を蝶番６１に対向させることによって、撮像ユニット４０がしまい込まれる。開口４２が蝶番６１に接近しているのでレンズ４４が損傷から保護される。更に、この位置にあれば、何かに当たっても、撮像ユニット４０は損傷を受けにくくなる。撮像ユニット４０を第二軸線２の周りで回転させるためにサーボモータが使用されている。好ましくは、サーボモータは画像センサ・ハウジング５０の近くで撮像ユニット４０の真下になるようにユーザ入力ユニット２０に配置されている。
【００２０】
本電子撮像装置１０は、幾つかの異なったモードで作動し、各モードに変えることができる。各モードでは、本装置１０を異なる物理的形態にして使用するか又は使用するようにしてもよい。
【００２１】
移動携帯電話の形態は、図３Ａ及び図３Ｂに示されている。
【００２２】
図３Ｂは、本装置１０が移動携帯電話として作動可能となっている開放形態を示している。これ以外の形態については全て、本形態を基にして説明する。この形態では、撮像ユニット４０は、０度の回転位置でしまい込まれており、表示部分３２は支持部分３４に対して回転されておらず、また支持部分は０度の回転位置にある。
【００２３】
図３Ａは、移動携帯電話として作動可能となっている閉鎖形態を示している。ユーザ入力ユニット２０の正面２２は、表示ユニット３０によって保護されているが、しかし撮像ユニット４０は表示ユニット３０によって覆われていない。この形態では、撮像ユニット４０は０度の回転位置でしまい込まれており、表示部分３２は支持部分３４に対して回転されておらず、また支持部分３４は第一軸線１の周りで１８０度に渡って回転されている。
【００２４】
図４は、本装置がビデオ捕捉装置として作動可能となっているビデオ・カメラの形態を示している。この形態では、撮像ユニット４０は第二軸線２の周りで１８０度回転されており、支持部分３４は第一軸線１の周りを９０度で回転されており、また表示部分３２は、ディスプレイ３１と開口４２とが反対方向を向くように第三軸線３の周りをで９０度で回転されている。ディスプレイ３１に表示されるビデオ画像は、自動的に９０度だけ回転され、それを正しい向きにする。
【００２５】
図５は、本装置が静止画像捕捉装置として作動可能となっているスチル・カメラの形態を示している。この形態では、撮像ユニット４０は第二軸線２の周りで反時計方向に９０度回転されており、支持部分３４は、第一軸線１の周りで１８０度回転されており、また表示部分３２は、ディスプレイ３１及び開口４２が反対方向を向くように第三軸線３の周りで１８０度に渡って回転されている。ディスプレイ３１に表示された画像は、自動的に９０度だけ回転され、それを正しい向きにする。
【００２６】
図６は、本装置がビデオ電話として又はビデオ会議装置として作動可能となっているビデオ電話の形態を示している。この形態では、撮像ユニット４０は第二軸線２の周りで時計方向に９０度回転されており、支持部分３４は第一軸線１の周りで１８０度回転されており、また表示部分３２はディスプレイ３１及び開口４２が同じ方向を向くように第三軸線３の周りで１８０度に渡って回転されている。ディスプレイ３１に表示された画像は、自動的に９０度だけ回転され、それを正しい向きにする。
【００２７】
図６は、本装置がタブレット装置として作動可能となっているタブレット・パーソナル・コンピュータの形態を示している。この形態では、撮像ユニット４０はしまい込まれており、支持部分３４は第一軸線１の周りで１８０度回転されており、また表示部分３２は第三軸線３の周りで１８０度に渡って回転されている。ディスプレイ３１に表示された画像は、自動的に９０度だけ回転され、それを正しい向きにする。
【００２８】
次の表１は、異なった各形態に対する撮像ユニットと支持部分と表示部分の相対的な回転状態を要約している。
【００２９】
【表１】
2007532071.tif 000003
【００３０】
本発明の実施例を色々な例を参照して前記パラグラフで説明してきたが、示された例に対する変更は、特許請求された本発明の技術範囲から逸脱しない限り行い得るものと理解すべきである。
【００３１】
特に重要であると考えられる本発明のそれら形態に焦点を当てて前記詳細な説明で説明してきたが、特に強調しようとしまいが、これまでに図面を参照し、及び／又は図面に示した全ての特許性のある形態又は形態の組み合わせに対して保護を本出願人は権利化請求しているものと理解すべきである。
【図面の簡単な説明】
【００３２】
【図１】電子撮像装置として作動するフリップ型移動携帯電話を示している。
【図２】電子撮像装置として作動するフリップ型移動携帯電話を示している。
【図３Ａ】移動電話として構成された電子撮像装置を示している。
【図３Ｂ】移動電話として構成された電子撮像装置を示している。
【図４】ビデオ・カメラとして構成された電子撮像装置を示している。
【図５】スチル・カメラとして構成された電子撮像装置を示している。
【図６】ビデオ電話として構成された電子撮像装置を示している。
【図７】タブレット・コンピュータとして構成された電子撮像装置を示している。
【図１】
2007532071.tif 000004
【図２】
2007532071.tif 000005
【図３Ａ】
2007532071.tif 000006
【図３Ｂ】
2007532071.tif 000007
【図４】
2007532071.tif 000008
【図５】
2007532071.tif 000009
【図６】
2007532071.tif 000010
【図７】
2007532071.tif 000011
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
電子撮像装置であって：
ユーザ入力ユニットと；
ディスプレイを有し、前記ユーザ入力ユニットに対して第一固定軸線の周りで旋回移動するように搭載された表示ユニットと；
前記第一固定軸線にほぼ直交した第二軸線の周りで回転する撮像ユニットと；
を有していることを特徴とする装置。
【請求項２】
前記撮像ユニットは、前記第二軸線の周りでほぼ３６０度回転するように搭載されている請求項１記載の電子装置。
【請求項３】
前記表示ユニットは、前記ディスプレイを有した表示部分と、該表示部分を前記ユーザ入力ユニットに結合する支持部分とを有しており、前記支持部分は、前記ユーザ入力部分に対して前記第一固定軸線の周りで旋回移動するように搭載されており、前記表示部分は、前記支持部分に対して第三軸線の周りで回転移動するように搭載されている請求項１記載の電子装置。
【請求項４】
前記支持部分は、前記第一固定軸線の周りでほぼ１８０度回転するように搭載されている請求項３記載の電子装置。
【請求項５】
前記表示部分は、前記第三軸線の周りでほぼ３６０度回転するように搭載されている請求項３又は４記載の電子装置。
【請求項６】
前記ユーザ入力ユニットは、正面を有しており、前記第二固定軸線は、前記正面とほぼ平行になっている前記請求項のいずれかに記載の電子装置。
【請求項７】
前記撮像ユニットは、９０度ずつ増すように前記第二軸線の周りで回転し、互いに直交する四つの位置のいずれかの位置をとるように搭載されている前記請求項のいずれかに記載の電子装置。
【請求項８】
前記撮像ユニットは、開口を有しており、該開口が前記ユーザ入力ユニットに向かい合うと共に隣接するしまい込み位置まで、第二軸線の周りで回転するように搭載されている前記請求項のいずれかに記載の電子装置。
【請求項９】
更に、固定画像センサを有しており、前記撮像ユニットは、第二軸線の周りで共に回転する開口と光学機器とを有している前記請求項のいずれかに記載の電子装置。
【請求項１０】
前記画像センサは、前記開口に対して直交した向きになっており、前記光学機器は、前記開口から前記画像センサに光を導くためにミラー又はプリズムを有している請求項９記載の電子装置。
【請求項１１】
前記撮像ユニットは、開口、光学機器及び画像センサを有しており、それら開口、光学機器及び画像センサは、共に第二軸線の周りで回転するように搭載されている請求項１から８のいずれか一つに記載の電子装置。
【請求項１２】
前記画像センサは、前記開口に対して直交した向きになっており、前記光学機器は、前記開口から前記画像センサに光を導くためにミラー又はプリズムを有している請求項１１記載の電子装置。
【請求項１３】
前記画像センサは、前記開口と整合しており、前記光学機器は、前記開口から前記画像センサに光を導くためにレンズを有している請求項１１記載の電子装置。
【請求項１４】
前記ユーザ入力ユニットは、前記第一固定軸線から直交方向に長手沿いに延びており、前記撮像ユニットは、その長さの少なくとも一部分において前記ユーザ入力ユニットに隣接して延びている前記請求項のいずれかに記載の電子装置。
【請求項１５】
更に、前記撮像ユニットを回転させるモータを有している前記請求項のいずれかに記載の電子装置。
【請求項１６】
前記装置は、ビデオ電話として、及びカメラとして作動可能であり、前記撮像ユニットは、前記装置の操作によってビデオ電話からカメラに切り替わると１８０度で回転される前記請求項のいずれかに記載の電子装置。
【請求項１７】
前記装置は、電話として、及びビデオ・カメラとして作動可能であり、前記装置の操作によって電話からビデオ・カメラに切り替わると、前記撮像ユニットは１８０度で回転され、前記支持部分は９０度で反時計方向に回転され、前記表示部分は２７０度で時計方向に回転される請求項３に従属する場合の前記請求項のいずれかに記載の電子装置。
【請求項１８】
前記装置は、電話として、及びビデオ電話として作動可能であり、前記装置の操作によって電話からビデオ電話に切り替わると、前記撮像ユニットは９０度で時計方向に回転され、前記表示部分は１８０度で回転され、前記支持部分は１８０度で回転される請求項３に従属する場合の前記請求項のいずれかに記載の電子装置。
【請求項１９】
前記装置は、電話として、及びスチル・カメラとして作動可能であり、前記装置の操作によって電話からスチル・カメラに切り替わると、前記撮像ユニットは９０度で反時計方向に回転され、前記表示部分は１８０度で回転され、前記支持部分は１８０度で回転される請求項３に従属する場合の前記請求項のいずれかに記載の電子装置。
【請求項２０】
表１に特定された一つ以上の形態を有している前記請求項のいずれかに記載の電子装置。
【請求項２１】
移動携帯電話として作動可能である前記請求項のいずれかに記載の電子装置。
【請求項２２】
電子撮像装置であって：
ハウジングと；
９０度ずつ増すように固定軸線の周りで前記ハウジングに対して回転し、互いに直交する四つの位置のいずれかの位置をとるように搭載されている撮像ユニットと；を有していることを特徴とする装置。
【請求項２３】
電子撮像装置であって：
ハウジングと；
レンズ開口を有し、該レンズ開口が前記ハウジングを向くしまい込み位置へ前記ハウジングに対して軸線周りで回転するように搭載されている撮像ユニットと；を有していることを特徴とする装置。
【請求項２４】
前記ユーザ入力ユニットは、前記第一固定軸線から直交方向に長手沿いに延びており、前記撮像ユニットは、その長さの少なくとも一部分において前記ユーザ入力ユニットに隣接して延びており、前記表示ユニットは、前記ユーザ入力ユニットの正面をカバーするが前記撮像ユニットを覆わないように前記第一軸線の周りで旋回する請求項２３記載の電子装置。
【請求項２５】
電子撮像装置であって：
ハウジングと；
開口、光学機器及び固定画像センサを有している撮像ユニットと；を有しており、前記開口及び光学機器が前記固定画像センサに対して軸線周りで共に回転するようになっていることを特徴とする装置。
【請求項２６】
前記画像センサは、前記開口に対して直交した向きになっており、前記光学機器は、前記開口から前記画像センサに光を導くためにミラー又はプリズムを有している請求項２５記載の電子装置。
【請求項２７】
多重モードの撮像装置であって：
正面を有したハウジングと；
レンズ開口を有し、前記ハウジンに対して固定軸線の周りで回転するように搭載されている撮像ユニットと；を有しており、
前記装置は、前記レンズ開口が前記正面の前方の画像を捕らえるように前記撮像ユニットが回転されるとビデオ電話として作動可能であり、前記装置は、前記撮像ユニットが１８０度で回転されるとカメラとして作動可能となっていることを特徴とする装置。
【請求項２８】
電子撮像装置であって：ユーザ入力ユニットと；ディスプレイを有し、前記ユーザ入力ユニットに対して第一固定軸線の周りで旋回移動するように搭載された表示ユニットと；第二軸線の周りで回転する撮像ユニットとを有していることを特徴とする装置。
【国際調査報告】
2007532071.tif 000012
2007532071.tif 000013
2007532071.tif 000014
2007532071.tif 000015